(57)【要約】【解決手段】電子システム及び電子デバイスと共に使用するためのコネクタ組立体が提供される。コネクタ組立体は、プラグ部品及びリセプタクル部品を有する。プラグ部品は、絶縁物が剥ぎ取られた所定長さの電線を受容するために内部に形成された内部チャンネルを有するハウジング、ハウジングに取り付けられ、内部に形成されたチャンバーを有するシールド管、シールドチャンバー内に配置されたプラグ本体、プラグ本体内に配置された導電ピンを有する。導電ピンは、一端が剥ぎ取られた所定長さの電線に結合されるよう構成されている。リセプタクル部品は、内部に形成されたシールドチャンバーを有するハウジング、プラグ部品に接続するためにハウジング内に配置されたフランジ部材、シールドチャンバー内に配置されたリセプタクル本体、リセプタクル本体内に配置された導電ソケットを有する。導電ソケットは、プラグ部品の導電ピンと嵌合するよう構成されている。
2010511974.tif 000002
【特許請求の範囲】
【請求項１】
電子システム及び電子デバイスと共に使用するためのコネクタ組立体であって、プラグ部品及びリセプタクル部品を具備し、
前記プラグ部品は、絶縁物が剥ぎ取られた所定長さの電線を受容するために内部に形成された内部チャンネルを有するハウジングと、該ハウジングに取り付けられ、内部に形成されたチャンバーを有するシールド管と、前記チャンバー内に配置されたプラグ本体と、該プラグ本体内に配置された複数の導電ピンとをさらに有し、
該導電ピンは、一端が剥ぎ取られた前記所定長さの電線に結合されるよう構成されており、
前記リセプタクル部品は、内部に形成されたシールドチャンバーを有するハウジングと、前記プラグ部品に接続するために前記ハウジング内に配置されたフランジ部材と、前記シールドチャンバー内に配置されたリセプタクル本体と、該リセプタクル本体内に配置された複数の導電ソケットとをさらに有し、
前記リセプタクル部品の前記導電ソケットは、前記プラグ部品の前記導電ピンと嵌合するよう構成されていることを特徴とするコネクタ組立体。
【請求項２】
前記プラグ部品は、前記リセプタクル部品に係止するために外部にクリップをさらに有し、
前記リセプタクル部品は、前記クリップを受容するよう構成されていることを特徴とする請求項１記載のコネクタ組立体。
【請求項３】
前記プラグ部品は、シールド管をさらに有し、
前記フランジ部材は、該フランジ部材に形成された少なくとも１個のラッチ部材をさらに有し、
該少なくとも１個のラッチ部材は、前記シールド管に係止すると共に前記両部品を互いに固定することを特徴とする請求項１記載のコネクタ組立体。
【請求項４】
前記プラグ部品の前記ハウジングは、成形されたプラスチックの一体品であることを特徴とする請求項１記載のコネクタ組立体。
【請求項５】
前記リセプタクル部品の外部にねじ部が設けられていることを特徴とする請求項１記載のコネクタ組立体。
【請求項６】
前記リセプタクル部品は、ナットをさらに有し、
該ナットは、前記リセプタクル部品の前記ねじ部が設けられた外部に取り付けられることを特徴とする請求項５記載のコネクタ組立体。
【請求項７】
前記プラグ部品及び前記リセプタクル部品の各々は、該部品に取り付けられた所定長さの電線をさらに有することを特徴とする請求項１記載のコネクタ組立体。
【請求項８】
電子システムと共に使用するための小型丸形コネクタであって、プラグ部品及びリセプタクル部品を具備し、
前記プラグ部品は、絶縁物が剥ぎ取られた所定長さの電線を受容するために内部に形成された内部チャンネルを有するハウジングと、該ハウジングに取り付けられ、外部に取り付けられたクリップ及び内部に形成されたチャンバーを有するシールド管と、前記チャンバー内に配置されたプラグ本体と、該プラグ本体内に配置された複数の導電ピンとをさらに有し、
該導電ピンは、一端が剥ぎ取られた前記所定長さの電線に結合されるよう構成されており、
前記リセプタクル部品は、内部に形成されたシールドチャンバーを有するハウジングと、前記プラグ部品の前記シールド管の外部に取り付けられた前記クリップを受容するよう構成され、前記ハウジング内に配置されたフランジ部材と、前記シールドチャンバー内に配置されたリセプタクル本体と、該リセプタクル本体内に配置された複数の導電ソケットとをさらに有し、
前記リセプタクル部品の前記導電ソケットは、前記プラグ部品の前記導電ピンと嵌合するよう構成されていることを特徴とする小型丸形コネクタ。
【請求項９】
前記プラグ部品は、シールド管をさらに有し、
前記フランジ部材は、該フランジ部材に形成された少なくとも１個のラッチ部材をさらに有し、
該少なくとも１個のラッチ部材は、前記シールド管に係止すると共に前記両部品を互いに固定することを特徴とする請求項８記載の小型丸形コネクタ。
【請求項１０】
前記プラグ部品の前記ハウジングは、成形されたプラスチックの一体品であることを特徴とする請求項８記載の小型丸形コネクタ。
【請求項１１】
前記リセプタクル部品の外部にねじ部が設けられていることを特徴とする請求項８記載の小型丸形コネクタ。
【請求項１２】
前記リセプタクル部品は、ナットをさらに有し、
該ナットは、前記リセプタクル部品の前記ねじ部が設けられた外部に取り付けられることを特徴とする請求項１１記載の小型丸形コネクタ。
【請求項１３】
前記プラグ部品及び前記リセプタクル部品の各々は、該部品に取り付けられた所定長さの電線をさらに有することを特徴とする請求項８記載の小型丸形コネクタ。
【発明の詳細な説明】
【技術分野】
【０００１】
本発明は、電子デバイスと共に使用されるコネクタ組立体（connector system）に関し、より具体的には一方の電子システム又は電子デバイスを他方の電子システム又は電子デバイスに接続する際に使用される小型丸形コネクタ組立体に関する。
【背景技術】
【０００２】
小型丸形コネクタは、ノート型ＰＣ、スキャナー、携帯用計器、医療用モニター、及び他の多くの用途等のデバイス用の電子分野において使用されている。最も市場で入手し易い小型丸形コネクタは、プラスチック製の部品を有し、シールドされていないので、それらの使用はやや限定されている。シールドコネクタは、めっきされた複数のプラスチック製の部品、或いは金属ダイキャスト製の部品を有するので、高価であるのが典型的である。
【発明の開示】
【発明が解決しようとする課題】
【０００３】
このため、或る用途ではシールド型コネクタが要求されるので、上述したデバイス等を含む多くの電子システム及び電子デバイスと両立できる安価なシールドコネクタに対するニーズが継続してある。
【課題を解決するための手段】
【０００４】
以下の説明は、本発明の典型的な実施形態の要約である。この要約は、広範囲な概観ではないが、キー、本発明の重要な側面、又は特定要素を特定したり、本発明の範囲を詳しく説明することを意図したものではない。
【０００５】
本発明の一側面によれば、電子システム及び電子デバイスと共に使用するためのコネクタ組立体が提供される。このコネクタ組立体は、プラグ部品及びリセプタクル部品を有する。プラグ部品は、絶縁物が剥ぎ取られた所定長さの電線を受容するために内部に形成された内部チャンネルを有するハウジングと、ハウジングに取り付けられ、内部に形成されたチャンバーを有するシールド管と、シールドチャンバー内に配置されたプラグ本体と、プラグ本体内に配置された複数の導電ピンとをさらに有し、導電ピンは、一端が剥ぎ取られた所定長さの電線に結合されるよう構成されている。リセプタクル部品は、内部に形成されたシールドチャンバーを有するハウジングと、プラグ部品に接続するためにハウジング内に配置されたフランジ部材と、シールドチャンバー内に配置されたリセプタクル本体と、リセプタクル本体内に配置された複数の導電ソケットとをさらに有し、リセプタクル部品の導電ソケットは、プラグ部品の導電ピンと嵌合するよう構成されている。
【０００６】
本発明の別の側面によれば、電子システムと共に使用するための小型丸形コネクタが提供される。このコネクタは、プラグ部品及びリセプタクル部品を有する。プラグ部品は、絶縁物が剥ぎ取られた所定長さの電線を受容するために内部に形成された内部チャンネルを有するハウジングと、ハウジングに取り付けられ、外部に取り付けられたクリップ及び内部に形成されたチャンバーを有するシールド管と、シールドチャンバー内に配置されたプラグ本体と、プラグ本体内に配置された複数の導電ピンとをさらに有し、導電ピンは、一端が剥ぎ取られた所定長さの電線に結合されるよう構成されている。リセプタクル部品は、内部に形成されたシールドチャンバーを有するハウジングと、プラグ部品のシールド管の外部に取り付けられたクリップを受容するよう構成され、ハウジング内に配置されたフランジ部材と、シールドチャンバー内に配置されたリセプタクル本体と、リセプタクル本体内に配置された複数の導電ソケットとをさらに有し、リセプタクル部品の導電ソケットは、プラグ部品の導電ピンと嵌合するよう構成されている。
【０００７】
本発明のさらに別の側面において、複数の電子部品を互いに接続する方法が提供される。この方法は、内部に形成されたチャンバーを有するシールド管、シールドチャンバー内に配置されたプラグ本体、及びプラグ本体内に配置された複数の導電ピンを有するプラグ部品であって、導電ピンは、一端が剥ぎ取られた所定長さの電線に結合されるよう構成されたプラグ部品を設ける工程と、剥ぎ取られた所定長さの電線をプラグ本体内で導電ピンに取り付ける工程と、剥ぎ取られた所定長さの電線及びシールド管の一部をハウジング内に収容する工程と、プラグ部品をリセプタクル部品に挿入する工程とを具備する。リセプタクル部品は、内部に形成されたシールドチャンバーを有するハウジングと、プラグ部品のシールド管の外部に取り付けられたクリップを受容するよう構成され、ハウジング内に配置されたフランジ部材と、シールドチャンバー内に配置されたリセプタクル本体と、リセプタクル本体内に配置された複数の導電ソケットとをさらに有し、リセプタクル部品の導電ソケットは、プラグ部品の導電ピンと嵌合するよう構成されており、剥ぎ取られた所定長さの電線は、リセプタクル本体内で導電ソケットに取り付けられている。
【発明を実施するための最良の形態】
【０００８】
本発明の付加的な特徴及び側面は、当業者が以下の典型的な実施形態の詳細な説明を読んで理解すれば明白であろう。当業者であれば理解されるように、本発明の範囲及び真髄を逸脱することなく、本発明の別の実施形態も可能である。従って、図面及びそれら図面に関連する説明は、例示とみなされるべきものであり、限定することを目的とするものでは全くない。
【０００９】
本明細書に組み込まれると共に本明細書の一部を形成する添付図面は、本発明の典型的な実施形態を概略的に説明するものであり、上述の一般的な説明と共に以下の詳細な説明は、本発明の原理の説明に役立つ。
【００１０】
本発明の典型的な実施形態を、図面を参照して説明する。詳細な説明を通して、参照番号は種々の要素及び構造を参照するために使用される。他の例では、説明を簡略化するために、周知の構造及びデバイスはブロック図の形態で示される。以下の詳細な説明は例示目的で多くの具体例を含んでいるが、当業者であれば、以下の詳細な説明に対する多くの変更・変形は本発明の範囲内であることを理解されよう。従って、本発明の以下の実施形態は、特許請求の範囲に記載された発明に対する普遍性を損なうことなく、且つ特許請求の範囲に記載された発明に限定することなく記述される。
【００１１】
本発明は、電子機器で使用されるコネクタに関するものであり、シールドのために打ち抜き加工及び曲げ加工された金属部品を有する低コストのデバイスを提供するものである。本発明の典型的な一実施形態は、電子システム及び電子デバイスと共に使用するための丸形のプラグ及びリセプタクルコネクタ組立体を提供する。このコネクタ組立体は、プラグ部品及びリセプタクル部品を有する。プラグ部品は、絶縁物が剥ぎ取られた所定長さの電線を受容するために内部に形成された内部チャンネルを有するハウジングと、ハウジングに取り付けられ、内部に形成されたチャンバーを有するシールド管（shielded conduit）と、シールドチャンバー内に配置されたプラグ本体と、プラグ本体内に配置された複数の導電ピンとをさらに有し、導電ピンは、一端が剥ぎ取られた所定長さの電線に結合されるよう構成されている。リセプタクル部品は、内部に形成されたシールドチャンバーを有するハウジングと、プラグ部品に接続するためにハウジング内に配置されたフランジ部材と、シールドチャンバー内に配置されたリセプタクル本体と、リセプタクル本体内に配置された複数の導電ピンとをさらに有し、リセプタクル部品の導電ピンは、プラグ部品の導電ピンと嵌合するよう構成されている。
【００１２】
図面を参照すると、図１ないし図５は、本発明のコネクタ組立体の典型的な一実施形態を示す。これらの図に示されるように、コネクタ組立体１０は、プラグ部品２０と、プラグ部品２０が挿入されるリセプタクル部品５０とを有する。本実施形態において、両部品ともほぼ筒状である。プラグ部品２０は、内部チャンネル２１、及び電線又はケーブルを受容するよう構成された金属圧着フェルール２５を有する。典型的には成形されたプラスチックである外部ハウジング２２は、内部チャンバー２３と、リセプタクル部品５０に係止し、プラグ部品を内部に固定するための外部「ばね付勢」クリップ２４とを有する。カラー２８がクリップ２４の端部に形成され、リセプタクル部品５０内に挿入されたプラグ部品２０の端部を取り囲む。シールド管２６が内部チャンバー２３内に配置され、導電プラグピン３０を有するプラグ本体２９がシールド管内に実装される。シールド管２６はまた、フェルール２５と接触状態にある。この接触により、ケーブルからの接地接続をシールド管２６を通して行うことができる。
【００１３】
図１及び図２、並びに図６ないし図８に最もよく示されるように、典型的なリセプタクル部品５０は、外部がねじ部である外部ハウジング５２を有する。リセプタクル部品５０をパネル又は他の表面内に、或いはパネル又は他の表面に対して固定するために、六角ナット５４又は他の取付デバイスすなわち取付手段をハウジング５２に装着してもよい。ハウジング５２を取り囲む接地指部５５、切欠５７及びラッチ指部５８を有するフランジ部材５６は、ハウジング５２を長手方向に貫通するシールドチャンバー５９と一体に形成されている。リセプタクルソケット６２を有するリセプタクル本体６０は、シールドチャンバー５９内に実装されている。プラグ部品２０はリセプタクル部品５０内に挿入されると、プラグピン３０はリセプタクルソケット６２内に挿入されると共にリセプタクルソケット６２と嵌合する。ラッチ指部５８はシールド管２６に係止し、これにより、プラグ部品２０及びリセプタクル部品５０間を電気シールド接続することができる。少なくとも１本の接地指部５５はまた、ケーブルからフランジ部材５６まで、及びリセプタクル部品５０が挿入されたパネル（以下の説明を参照のこと）までを接地導通するために、シールド管２６に接触する。
【００１４】
コネクタ組立体１０は、所定長さの電線の一端を剥ぎ取り、剥ぎ取られた電線を受容するよう構成されたプラグピン３０に剥ぎ取られた端部を取り付けることにより、使用することができる。剥ぎ取られた電線及びプラグピン３０は、一旦取り付けられると、シールド管２６及びハウジング２２内に収容される。同様に、一端が剥ぎ取られた所定長さの電線は、リセプタクル部品５０のリセプタクルソケット６２に取り付けられる。次に、プラグ部品２０は、クリップ２４及びシールド管２６が接地指部５５、切欠５７及びラッチ指部５８に接触するまで、リセプタクル部品５０内に挿入される。コネクタ組立体１０の部品は、各部品を把持し、部品が分離するまでしっかりと圧力を加えることにより、係合解除することができる。リセプタクル部品５０は典型的にはパネル等に挿入され、図９及び図１０に示されるように、フランジ部材５６は、パネル７０に挿入されるとばねのように圧縮し、挿入が一旦完了すると広がる。
【００１５】
本発明の典型的な実施形態の説明により本発明を例示し、実施形態を詳細に説明したが、このような詳細な点に特許請求の範囲を限定することは本出願人の意図するところではない。当業者であれば、付加的な利点及び変更を容易に想起できるであろう。よって、本発明は、より広い側面において、特定の詳細、代表的なデバイス及び方法、図示され説明された例に限定されない。従って、本出願人の発明の概念の真髄すなわち範囲から逸脱することなく、このような詳細から逸脱してもよい。
【図面の簡単な説明】
【００１６】
【図１】本発明の小型丸形コネクタの典型的な一実施形態を示す分解斜視図である。
【図２】組立後の状態の図１の小型丸形コネクタを示す断面図である。
【図３】図１の小型丸形コネクタのプラグ部品を後方から見た斜視図である。
【図４】図１の小型丸形コネクタのプラグ部品を上方から見た斜視図である。
【図５】図１の小型丸形コネクタのプラグ部品の側面図である。
【図６】図１の小型丸形コネクタのリセプタクル部品の正面図である。
【図７】図１の小型丸形コネクタのリセプタクル部品の側面図である。
【図８】図１の小型丸形コネクタのリセプタクル部品の斜視図である。
【図９】リセプタクル部品をパネルに挿入する前の図１の小型丸形コネクタ組立体のリセプタクル部品を示す断面図である。
【図１０】リセプタクル部品をパネルに挿入した後の図１の小型丸形コネクタ組立体のリセプタクル部品を示す断面図である。
【符号の説明】
【００１７】
１０  コネクタ組立体
２０  プラグ部品
２１  内部チャンネル
２２  ハウジング
２３  チャンバー
２４  クリップ
２６  シールド管
２９  プラグ本体
３０  導電ピン
５０  リセプタクル部品
５２  ハウジング
５４  ナット
５６  フランジ部材
５８  ラッチ部材（ラッチ指部）
５９  シールドチャンバー
６０  リセプタクル本体
６２  導電ソケット
【図１】
2010511974.tif 000003
【図２】
2010511974.tif 000004
【図３】
2010511974.tif 000005
【図４】
2010511974.tif 000006
【図５】
2010511974.tif 000007
【図６】
2010511974.tif 000008
【図７】
2010511974.tif 000009
【図８】
2010511974.tif 000010
【図９】
2010511974.tif 000011
【図１０】
2010511974.tif 000012
【国際調査報告】
2010511974.tif 000013
2010511974.tif 000014
2010511974.tif 000015